(57)【要約】【目的】  追記型光ディスク又は書換型光ディスクのラベル面に貼着したラベルに可視情報を短時間で簡単に品質良く書き込めるようにようにする。【解決手段】  装着された光ディスク１に対して情報を記録及び再生するためにレーザ光を照射する光ピックアップと反対側に、光ディスク１のラベル面に貼付された感熱情報表示フィルムからなるラベル２に発熱部６ａを当接させて可視情報を書き込むサーマルヘッド６を設ける。また、光ピックアップによって情報を記録又は再生する際に光ディスク１を高速回転させるスピンドルモータ等の高速回転機構とは別に、サーマルヘッド６によってラベル２に可視情報を書き込む際に、その光ディスク１の外周面にゴムローラ９を当接させて、モータ７によって光ディスク１を低速回転させる低速回転機構を設ける。その際、光ディスク１の外周縁部にディスク支持爪１０を当接させて光ディスクを回転可能に支持させるとよい。【選択図】        図１
2006114194.tif 000002
【特許請求の範囲】
【請求項１】
情報記録媒体として光ディスクを装着する装着部と、
該装着部に装着された光ディスクに対して情報を記録及び再生するためにレーザ光を照射する光ピックアップと、
該光ピックアップによって情報を記録又は再生する際に、前記装着された光ディスクを高速回転させる高速回転機構と、
前記装着された光ディスクに対して前記光ピックアップと反対側に設けられ、該光ディスクのラベル面に貼付された感熱情報表示フィルムからなるラベルに発熱部を当接させて可視情報を書き込むサーマルヘッドと、
該サーマルヘッドによって前記ラベルに可視情報を書き込む際に、前記装着された光ディスクを前記高速回転よりも遅い回転速度で低速回転させる低速回転機構とを設けたことを特徴とする光ディスク装置。
【請求項２】
情報記録媒体として光ディスクを装着する装着部と、
該装着部に装着された光ディスクに対して情報を記録及び再生するためにレーザ光を照射する光ピックアップと、
該光ピックアップによって情報を記録又は再生する際に、前記装着された光ディスクを高速回転させる高速回転機構と、
前記装着された光ディスクに対して前記光ピックアップと反対側に設けられ、該光ディスクのラベル面に貼付された熱可逆性情報表示フィルムからなるラベルに発熱部を当接させて可視情報を書き込み及び消去するサーマルヘッドと、
該サーマルヘッドによって前記ラベルに可視情報を書き込み又は消去する際に、前記装着された光ディスクを前記高速回転よりも遅い回転速度で低速回転させる低速回転機構とを設けたことを特徴とする光ディスク装置。
【請求項３】
請求項１又は２記載の光ディスク装置において、
前記サーマルヘッドは、前記発熱部が前記装着された光ディスクの半径方向に沿って延び、前記ラベルの書き込み有効半径の全長に亘って当接可能に配設されていることを特徴とする光ディスク装置。
【請求項４】
請求項１乃至３のいずれか一項に記載の光ディスク装置において、
前記サーマルヘッドは、前記発熱部が前記装着された光ディスクの前記ラベルに当接する方向に常時回動付勢されていることを特徴とする光ディスク装置。
【請求項５】
請求項４記載の光ディスク装置において、
偏心部を有するロッドと、その偏心部と係合して該ロッドの回転によって、前記サーマルヘッドをその回動付勢力に抗して前記ラベルから離間させる位置と該回動付勢力によって前記ラベルに当接させる位置とに回動するサーマルヘッドホルダとを設けたことを特徴とする光ディスク装置。
【請求項６】
請求項１乃至５のいずれか一項に記載の光ディスク装置において、
前記サーマルヘッドの前記装着された光ディスクの前記ラベルへの当接に連動して該光ディスクの外周縁部に当接し、該光ディスクを前記サーマルヘッドの当接力に対して回転可能に支持する支持部材を設けたことを特徴とする光ディスク装置。
【請求項７】
請求項１乃至５のいずれか一項に記載の光ディスク装置において、
前記低速回転機構が、前記装着された光ディスクの外周面に対して当接及び離間可能なローラと、該ローラを回転させるモータとを有し、該ローラが前記光ディスクの外周面に当接して回転することによって該光ディスクを低速回転させる機構であることを特徴とする光ディスク装置。
【請求項８】
請求項７記載の光ディスク装置において、
該低速回転機構のローラの前記装着された光ディスクの外周面に対する当接・離間と、前記サーマルヘッドの該光ディスクの前記ラベルへの当接・離間とを１個の駆動源の駆動力によって連動させる連動機構を備えたことを特徴とする光ディスク装置。
【請求項９】
前記ローラがゴムローラである請求項７又は８記載の光ディスク装置。
【請求項１０】
請求項６記載の光ディスク装置において、
前記低速回転機構が、前記装着された光ディスクの外周面に対して当接及び離間可能なローラと、該ローラを回転させるモータとを有し、該ローラが前記光ディスクの外周面に当接して回転することによって該光ディスクを低速回転させる機構であることを特徴とする光ディスク装置。
【請求項１１】
請求項１０記載の光ディスク装置において、
該低速回転機構のローラの前記装着された光ディスクの外周面に対する当接・離間と、前記サーマルヘッドの該光ディスクの前記ラベルへの当接・離間と、前記支持部材の該光ディスクの外周縁部への当接・離間とを１個の駆動源の駆動力によって連動させる連動機構を備えたことを特徴とする光ディスク装置。
【請求項１２】
前記ローラがゴムローラである請求項１０又は１１記載の光ディスク装置。
【請求項１３】
請求項８記載の光ディスク装置において、
前記低速回転機構、前記サーマルヘッド、及び前記連動機構が全て共通のホルダに保持されて可視情報書込ユニットを構成していることを特徴とする光ディスク装置。
【請求項１４】
請求項１１記載の光ディスク装置において、
前記低速回転機構、前記サーマルヘッド、前記支持部材、及び前記連動機構が全て共通のホルダに保持されて可視情報書込ユニットを構成していることを特徴とする光ディスク装置。
【請求項１５】
請求項１乃至６のいずれか一項に記載の光ディスク装置において、
前記低速回転機構が、前記装着された光ディスクの外周面に対して当接及び離間可能にベルトを張装する対のプーリ又はローラと、前記ベルトを回動させるモータとを有し、該ベルトが前記光ディスクの外周面に当接して回動することによって該光ディスクを低速回転させる機構であることを特徴とする光ディスク装置。
【請求項１６】
請求項１乃至５のいずれか一項に記載の光ディスク装置において、
前記低速回転機構が、低速回転用のモータと該モータの回転駆動力を前記装着された光ディスクに伝達して該光ディスクを低速回転させる伝達部とからなり、該伝達部が前記光ディスクを前記サーマルヘッドの当接力に対して回転可能に支持する支持部材を兼ねていることを特徴とする光ディスク装置。
【請求項１７】
前記伝達部が、大径部上に小径部を一体に形成した段付きローラを有し、該段付きローラが前記低速回転用のモータによって回転駆動され、前記小径部の外周面が前記光ディスクの外周面に当接して該光ディスクを低速回転させ、前記大径部の上面が該光ディスクの前記サーマルヘッドに当接される面と反対側の面を支持するようにしたことを特徴とする請求項１６記載の光ディスク装置。
【請求項１８】
前記伝達部が、大径部上に小径部を一体に形成した段付きローラと、該段付きローラの前記小径部の外周面と別のローラ又はプーリとの間に張装されたベルトとを有し、前記段付きローラと前記ベルトが前記低速回転用のモータによって駆動され、前記ベルトが前記光ディスクの外周面に当接して該光ディスクを低速回転させ、前記段付きローラの大径部の上面が該光ディスクの前記サーマルヘッドに当接される面と反対側の面を支持するようにしたことを特徴とする請求項１６記載の光ディスク装置。
【請求項１９】
前記別のローラ又はプーリも大径部上に小径部を一体に形成した段付きローラであって、前記べルトの２個の前記段付きローラの前記小径部間に張装された部分が、前記光ディスクの外周面に当接して該光ディスクを低速回転させ、前記２個の前記段付きローラの各前記大径部の上面が該光ディスクの前記サーマルヘッドに当接される面と反対側の面を支持するようにしたことを特徴とする請求項１８記載の光ディスク装置。
【請求項２０】
前記段付きローラの前記大径部の上面が環状の凸曲面をなしていることを特徴とする請求項１７乃至１９のいずれか一項に記載の光ディスク装置。
【請求項２１】
前記ベルトがゴムベルトであることを特徴とする請求項１５，１８，１９のいずれか一項に記載の光ディスク装置。
【請求項２２】
前記ベルトがタイミングベルトであることを特徴とする請求項１５，１８，１９，２１のいずれか一項に記載の光ディスク装置。
【請求項２３】
請求項１乃至５、７乃至９，１３，１５のいずれか一項に記載の光ディスク装置において、前記装着された光ディスクの前記サーマルヘッドに当接される面と反対側の面を支持するボール状回転支持体を設けたことを特徴とする光ディスク装置。
【請求項２４】
前記ボール状回転支持体が、前記光ディスクを挟んで前記サーマルヘッドと対向する位置に設けられていることを特徴とする請求項２３記載の光ディスク装置。
【請求項２５】
前記光ディスクを挟んで前記サーマルヘッドと反対側に、前記ボール状回転支持体が少なくとも一対、前記光ディスクの周方向における前記サーマルヘッドの位置を挟む両側に１８０度以下の角度間隔で設けられていることを特徴とする請求項２３記載の光ディスク装置。
【請求項２６】
前記少なくとも一対のボール状回転支持体が、９０度以下の角度間隔で設けられていることを特徴とする請求項２５記載の光ディスク装置。
【請求項２７】
前記少なくとも一対のボール状回転支持体が、前記光ディスクの周方向における前記サーマルヘッドの位置を挟んで対称な位置に設けられていることを特徴とする請求項２５又は２６記載の光ディスク装置。
【請求項２８】
請求項１乃至６のいずれか一項に記載の光ディスク装置において、
前記高速回転機構が、高速回転用のモータと該モータの回転速度に応じた信号を発生する回転信号発生手段とを有し、前記低速回転機構が低速回転用のモータを有しており、
該低速回転用のモータを駆動して前記低速回転機構によって前記装着された光ディスクを低速回転させる際に、非駆動状態の前記高速回転用のモータが前記光ディスクの回転によって従動回転することにより、前記回転信号発生手段が発生する信号を用いて前記低速回転用のモータの回転を制御して前記ディスクを所定の速度で回転させるディスク回転制御手段を設けたことを特徴とする光ディスク装置。
【請求項２９】
請求項２８記載の光ディスク装置において、
前記回転信号発生手段が、前記高速回転用のモータの回転速度に応じたＦＧ信号を発生する手段であり、前記ディスク回転制御手段が、該ＦＧ信号を用いて前記低速回転用のモータの回転を制御する手段であることを特徴とする光ディスク装置。
【請求項３０】
請求項１乃至４のいずれか一項に記載の光ディスク装置において、前記サーマルヘッドを、前記装着された光ディスクの径方向に沿って配設された複数個のサーマルヘッドで構成したしたことを特徴とする光ディスク装置。
【請求項３１】
前記複数個のサーマルヘッドの隣接する接続部は、互いの発熱部が前記光ディスクの径方向にオーバラップしていることを特徴とする請求項３０記載の光ディスク装置。
【発明の詳細な説明】
【技術分野】
【０００１】
この発明は光ディスク装置に関し、さらに詳しくは、装着された光ディスクのラベル面に貼付された感熱情報表示フィルムに可視情報を書き込む機能を備えた光ディスク装置に関する。
【背景技術】
【０００２】
近年、ディスク状のメディアにピットや磁気によるデジタル情報を記録した各種のディスク状メディアが普及しており、これらは一般的に、光ディスクと総称されている。このような光ディスクの種類としては、音楽用ＣＤやＣＤ−ＲＯＭ、あるいはＤＶＤのような情報が予め記録されているものの他、一度だけ書き込みが可能な追記型光ディスク、何度でも書き換えが可能な書換型光ディスクがあり、いずれも急速に普及している。
【０００３】
一方、予め情報が記録されている光ディスクには、その記録内容を表示したりデザイン性を高めたりする目的で、一方の面（ラベル面と称す）にラベル（「レーベル」ともいう）が貼付されているのが一般的である。例えば、音楽ＣＤにはそのラベル面にタイトルや曲名が所定の絵柄と共に印刷されたラベルが貼付されており、ＣＤ−ＲＯＭにはその記録内容が所定の絵柄と共に印刷されたラベルが貼付されている。
【０００４】
これに対し、追記型光ディスクや書換型光ディスクでは、ユーザ自らが所望の情報を書き込むという使い方がなされるので、予め所定事項を印刷したラベルを貼付するわけにはいかない。そのため、このような種類の光ディスクでは、そのケースに記録内容を書き込めるようにしてあるのが一般的である。
しかしながら、追記型や書換型の光ディスクにも、予め情報が印刷されている音楽ＣＤ等に貼付されているようなラベルを貼付しておき、そのラベルにユーザが所望事項を書き込むことができれば便利である。
【０００５】
このような要望にこたえるため、追記型光ディスクのラベル面に貼付されたラベルに所望事項を印刷あるいは書き込みできるようにした光ディスク装置が、例えば特許文献１乃至３等に提案されている。
【特許文献１】特開平９−２６５７６０号公報
【特許文献２】特開平１１−２８３３５６号公報
【特許文献３】特開２０００−１７３２３８号公報
【０００６】
上記特許文献１には、光ディスクに対して光ヘッド（光ピックアップ）によって情報の記録・再生を行う光ディスク装置に、その光ディスクのラベル面に可視情報を１度だけ印刷できる印刷機構を内蔵させたものが開示されている。
また、特許文献２には、光ディスクのラベル面に何度でも所要の可視情報を書き換え記録できるようにした光ディスク装置が開示されており、そのラベルに熱可逆性記録媒体を使用することも記載されている。
さらに、特許文献３には、やはり光ディスクのラベル面に何度でも所要の可視情報を書き換え記録できるようにした光ディスク装置が開示されており、特に、そのラベル面の適正な位置に所要の可視情報を記録できるようにするための位置合わせ技術について開示されている。
【発明の開示】
【発明が解決しようとする課題】
【０００７】
上述した特許文献１に開示された光ディスク装置は、光ディスクのラベル面に１回だけ所要事項を印刷することができるが、書き換えはできないので、書換型光ディスクのようにその光書き込みによる記録内容を書き換えることができる光ディスクには不向きである。何故ならば、このような書換型光ディスクでは、その記録情報の書き換えに応じてラベル面の可視情報の内容も書き換えることが必要になるからである。
【０００８】
また、上述した各特許文献に開示されている光ディスク装置は、いずれも光ピックアップによって光ディスクにレーザ光を照射して情報を記録又は再生する際に、光ディスクを高速で回転させるためのスピンドルモータを、光ディスクのラベル面に印字ヘッドあるいはサーマルヘッドによって可視情報を印刷あるいは書き込む際にも兼用している。
しかし、スピンドルモータは、光ピックアップからのレーザ光による情報記録・再生に適した高速で光ディスクをサーボ制御によって回転させるのには適しているが、光ディスクのラベル面への可視情報の印刷又は書き込み時に、それに適した低速で光ディスクをオーブン制御で一定回転させるのは困難であった。
【０００９】
そのため、光ディスクのラベル面への可視情報の印刷又は書き込み時にも、光ディスクを比較的高速で回転させ、印字ヘッドあるいはサーマルヘッドを光ピックアップと同様に光ディスクの半径方向に移動させながら、ラベル面を螺旋状に走査して可視情報の印刷や書き込みを行なっており、その同期制御や位置合わせが複雑になり、情報の印刷や書き込みに時間もかかり、可視情報の品質もあまりよくないなどの問題があった。
【００１０】
この発明はこれらの問題を解決するためになされたものであり、光ディスクのラベル面に可視情報を短時間で簡単に品質良く書き込めるようにようにすることを第１の目的とする。また、追記型光ディスクも書換型光ディスクも同様に使用でき、しかもコンパクトな可視情報書き込み機能を備えた光ディスク装置を提供することも他の目的とする。
【課題を解決するための手段】
【００１１】
この発明による光ディスク装置は上記の目的を達成するため、情報記録媒体として光ディスクを装着する装着部と、該装着部に装着された光ディスクに対して情報を記録及び再生するためにレーザ光を照射する光ピックアップと、該光ピックアップによって情報を記録又は再生する際に、装着された光ディスクを高速回転させる高速回転機構と、その装着された光ディスクに対して光ピックアップと反対側に設けられ、該光ディスクのラベル面に貼付された感熱情報表示フィルムからなるラベルに発熱部を当接させて可視情報を書き込むサーマルヘッドと、該サーマルヘッドによってそのラベルに可視情報を書き込む際に、装着された光ディスクを上記高速回転よりも遅い回転速度で低速回転させる低速回転機構とを設けたものである。
【００１２】
ラベル面に熱可逆性情報表示フィルムからなるラベルを貼付した光ディスク（書換型光ディスク）を使用する場合には、上記サーマルヘッドに換えて、該光ディスクのラベル面に貼付された熱可逆性情報表示フィルムからなるラベルに発熱部を当接させて可視情報を書き込み及び消去するサーマルヘッドを設け、該サーマルヘッドによってそのラベルに可視情報を書き込み又は消去する際に、上記低速回転機構によって光ディスクを上記高速回転よりも遅い回転速度で低速回転させるようにすれば、光ピックアップによる情報の書き換えに応じて、ラベルの可視情報を何度でも書き換えることができる。
【００１３】
上記サーマルヘッドを、その発熱部が装着された光ディスクの半径方向に沿って延び、上記ラベルの書き込み有効半径の全長に亘って当接可能に配設するとよい。それによって、上記低速回転機構によって光ディスクを１回転させるだけで、上記サーマルヘッドによりラベルの全面に所望の可視情報を書き込んだり、書き換えたりすることができる。
そのサーマルヘッドは、発熱部が装着された光ディスクのラベルに当接する方向に常時回動付勢されるようにすれば、可視情報の書き込み時に発熱部を確実に感熱情報表示フィルムに当接させることができる。
その場合、偏心部を有するロッドと、その偏心部と係合して該ロッドの回転によってサーマルヘッドをその回動付勢力に抗してラベルから離間させる位置と該回動付勢力によってラベルに当接させる位置とに回動するサーマルヘッドホルダとを設けるとよい。
【００１４】
また、上記サーマルヘッドの装着された光ディスクのラベルへの当接に連動して該光ディスクの外周縁部に当接し、該光ディスクをサーマルヘッドの当接力に対して回転可能に支持する支持部材を設けると、光ディスクの厚さ方向の位置を一定に維持して、安定して確実に低速回転させることができる。
上記低速回転機構は、装着された光ディスクの外周面に対して当接及び離間可能なローラと、そのローラを回転させるモータとを有し、そのローラが光ディスクの外周に当接して回転することによって該光ディスクを低速回転させる機構にするとよい。
そのローラは、少なくとも外周面の摩擦力が大きいローラであるのが望ましく、ゴムローを使用するとよい。
【００１５】
さらに、上記低速回転機構のローラの装着された光ディスクの外周面に対する当接・離間と、上記サーマルヘッドの該光ディスクのラベルへの当接・離間とを１個の駆動源の駆動力によって連動させる連動機構を備えるとよい。
その連動機構が、上記支持部材の該光ディスクの外周縁部への当接・離間をも連動するようにすればなおよい。
そして、上記低速回転機構、サーマルヘッド、及び上記連動機構を全て共通のホルダに保持させるか、さらに上記支持部材とそれも連動させる連動機構を全て共通のホルダに保持させて、可視情報書込ユニットを構成すれば、可視情報書き込み機能を備えた光ディスク装置をコンパクトに構成することができる。
【００１６】
前述の低速回転機構を、装着された光ディスクの外周面に対して当接及び離間可能にベルトを張装する対のプーリ又はローラと、そのベルトを回動させるモータとを有し、該ベルトが上記光ディスクの外周面に当接して回動することによって該光ディスクを低速回転させるように構成してもよい。
あるいは、前述の低速回転機構を、低速回転用のモータと該モータの回転駆動力を装着された光ディスクに伝達して該光ディスクを低速回転させる伝達部とによって構成し、その伝達部が上記光ディスクをサーマルヘッドの当接力に対して回転可能に支持する支持部材を兼ねるようにすることもできる。
【００１７】
その場合、上記伝達部が、大径部上に小径部を一体に形成した段付きローラを有し、その段付きローラが上記低速回転用のモータによって回転駆動され、その小径部の外周面が上記光ディスクの外周面に当接して該光ディスクを低速回転させ、大径部の上面が該光ディスクの上記サーマルヘッドに当接される面と反対側の面を支持するようにするとよい。
あるいは、上記伝達部が、大径部上に小径部を一体に形成した段付きローラと、その段付きローラの小径部の外周面と別のローラ又はプーリとの間に張装されたベルトとを有し、上記段付きローラとベルトが上記低速回転用のモータによって駆動され、そのベルトが上記光ディスクの外周面に当接して該光ディスクを低速回転させ、上記段付きローラの大径部の上面が該光ディスクの上記サーマルヘッドに当接される面と反対側の面を支持するようにしてもよい。
【００１８】
その場合、上記別のローラ又はプーリも大径部上に小径部を一体に形成した段付きローラとし、上記べルトの２個の段付きローラの小径部間に張装された部分が、上記光ディスクの外周面に当接して該光ディスクを低速回転させ、その２個の段付きローラの各大径部の上面が該光ディスクの上記サーマルヘッドに当接される面と反対側の面を支持するようにすることもできる。
これらの段付きローラの大径部の上面が環状の凸曲面をなしていると、光ディスクとの接触面が少なくなってよい。
また、上記ベルトはゴムベルトあるいはタイミングベルト（ゴムのタイミングベルトも含む）であると、滑りが殆どなくなるのでよい。
【００１９】
また、装着された光ディスクの上記サーマルヘッドに当接される面と反対側の面を支持するために、上述した各支持部材に代えて、ボール状回転支持体を設けるようにしてもよい。そのボール状回転支持体を、上記光ディスクを挟んで上記サーマルヘッドと対向する位置に設けるとよい。
あるいは、上記光ディスクを挟んで上記サーマルヘッドと反対側に、上記ボール状回転支持体を少なくとも一対、上記光ディスクの周方向における上記サーマルヘッドの位置を挟む両側に１８０度以下の角度間隔で設けてもよい。その角度間隔を９０度以下にするとより確実に支持することができる。
その場合、上記少なくとも一対のボール状回転支持体を、上記光ディスクの周方向における上記サーマルヘッドの位置を挟んで対称な位置に設けるのが望ましい。
【００２０】
これらの光ディスク装置において、前記高速回転機構が、高速回転用のモータと該モータの回転速度に応じた信号を発生する回転信号発生手段とを有し、前記低速回転機構が低速回転用のモータを有しており、その低速回転用のモータを駆動して低速回転機構によって装着された光ディスクを低速回転させる際に、非駆動状態の上記高速回転用のモータが上記光ディスクの回転によって従動回転することにより、上記回転信号発生手段が発生する信号を用いて上記低速回転用のモータの回転を制御して上記ディスクを所定の速度で回転させるディスク回転制御手段を設けるとよい。
上記回転信号発生手段を、上記高速回転用のモータの回転速度に応じたＦＧ信号を発生する手段とし、上記ディスク回転制御手段を、そのＦＧ信号を用いて上記低速回転用のモータの回転を制御する手段とすることができる。
【００２１】
これらの光ディスク装置において、前記サーマルヘッドを、装着された光ディスクの径方向に沿って配設された複数個のサーマルヘッドで構成することによって、光ディスクの径方向に多少の反りがあって、可視情報の書き込みや消去を確実に行なえるようにすることができる。
その複数個のサーマルヘッドの隣接する接続部は、互いの発熱部が光ディスクの径方向にオーバラップしているのが望ましい。
【発明の効果】
【００２２】
この発明による光ディスク装置によれば、光ディスクのラベル面に貼付されたラベルにサーマルヘッドによって可視情報を書き込む際に、その光ディスクを低速回転機構によって書き込みに適した一定の遅い回転速度で回転させることができるので、そのラベルに可視情報を品質良く確実に書き込むことができる。
また、上記サーマルヘッドを、その発熱部が装着された光ディスクの半径方向に沿って延び、上記ラベルの書き込み有効半径の全長に亘って当接可能に配設すれば、上記低速回転機構によって光ディスクを１回転させるだけで、上記サーマルヘッドによりラベルの全面に所望の可視情報を書き込んだり、前に書き込まれた可視情報を消去して、もう一周で新たな可視情報を書き込む（書き換える）ことができる。
【００２３】
上記低速回転機構を、装着された光ディスクの外周面に対して当接及び離間可能なゴムローラ等のローラと、そのローラを回転させるモータによって構成し、そのローラの光ディスクの外周面に対する当接・離間と、上記サーマルヘッドの該光ディスクのラベルへの当接・離間とを、あるいはさらに上記支持部材の該光ディスクの外周縁部への当接・離間をも、１個の駆動源の駆動力によって連動させる連動機構を備えることにより、極めて簡単な制御で可視情報書き込み機能を有効・無効に切り替えることができる。
さらに、上記低速回転機構とサーマルヘッド、あるは上記支持部材をも、上記連動機構とともに全て共通のホルダに保持させて、可視情報書込ユニットを構成すれば、可視情報書き込み機能を備えた光ディスク装置をコンパクトに構成することができる。
【００２４】
上記低速回転機構やその低速回転用モータの制御手段、上記光ディスクの支持手段、上記サーマルヘッドなどを、上述した各例のように構成すれば、光ディスクのラベル面に貼付されたラベルにサーマルヘッドによって可視情報を書き込む際に、光ディスクを一定の低速で確実に回転させ、その光ディスクを確実に支持し、サーマルヘッドを確実にラベルに当接させて、可視情報を確実に書き込むことができる。
【発明を実施するための最良の形態】
【００２５】
以下、この発明を実施するための最良の形態を図面に基づいて具体的に説明する。
〔基本的実施例〕
図１は、この発明による光ディスク装置の基本的実施例の要部のみを光ディスクと共に示す模式的な斜視図、図２はさらにスピンドルモータ及び光ピックアップと共に示す模式的な側面図である。図３はゴムローラの異なる例を示す図であり、図４は光ディスクの構成を示す分解斜視図である。
【００２６】
これらの図において１は光ディスクであり、図４に明示するように中心開孔１ａを有する円板状に形成され、光書き込み面と反対側のラベル面１ｂに、可視情報を書き込むためのドーナツ形状のラベル２を貼着している。この光デイスク１としては、一度だけ書き込み可能な追記型光ディスク（ＣＤ−Ｒ、ＤＶＤ−Ｒ、ＤＶＤ＋Ｒなど）、または書き換え可能な書換型光ディスク（ＣＤ−ＲＷ、ＤＶＤ−ＲＡＭ、ＤＶＤ−ＲＷ、ＤＶＤ＋ＲＷなど）を使用する。ラベル２には、感熱情報表示シートを使用し、追記型光ディスクに貼着する場合には一度だけ書き込み可能なシートでよいが、書換型光ディスクに貼着する場合には熱可逆性情報表示シートのように何度でも書き換え可能なシートがよい。その詳細は後述する。
【００２７】
この実施形態の光ディスク装置にも、図２に示すように、一般の光ディスク装置と同様に図示しないトレーに載置されて装着部に装着された光ディスク１に対して、情報を記録及び再生するためにレーザ光を照射する光ピックアップ３と、その光ピックアップ３によって光ディスク１に情報を記録又は記録された情報を再生する際に、その光ディスクを高速回転（数１０００〜１００００ｒｐｍ）させるスピンドルモータ４とスピンドル５などによる高速回転機構を備えている。その際、光ピックアップ３は図示しない走査機構によって矢示Ａ方向（光ディスク１の半径方向）へ移動される。
【００２８】
さらに、この発明を実施するための部材として、装着された光ディスク１に対して光ピックアップ３と反対側に、光ディスク１のラベル面に貼付されたラベル２に発熱部６ａを当接させて可視情報を書き込むサーマルヘッド６と、そのサーマルヘッド６によってラベル２に可視情報を書き込む際および書き込まれた可視情報を消去する際に、光ディスク１をスピンドルモータ４による高速回転よりも遥かに遅い回転速度で低速回転させる低速回転機構とを設けている。
【００２９】
この実施例ではその低速回転機構を、図１に示すように、ステッピングモータ等の低速回転用のモータ７とその回転軸に固着した摩擦ローラ８とその摩擦ローラによって回転されるゴムローラ９とによって構成し、可視情報の書き込み時には、そのゴムローラ９の外周面を光ディスク１の外周面に圧接させ、その光ディスク１を矢示Ｂ方向へ１０ｍｍ／ｓｅｃ程度の外周線速度で低速回転させる。ゴムローラに代えて他のローラを使用してもよく、少なくとも光ディスクの外周面と接触する外周面の摩擦係数が高く、安定して光ディスク１を回転駆動できるローラであればよい。例えば外周面を粗面にした樹脂ローラなどでもよい。
【００３０】
サーマルヘッド６は、発熱部６ａが光ディスク１の半径方向に沿って延び、ラベル２の書き込み有効半径の全長に亘って当接可能に配設されている。例えば、そのサーマルヘッド６は３５ｍｍの有効記録幅を有し、光ディスク１の１回転すなわち一周で、ドーナツ状のラベル２の全面に可視情報の書き込みあるいは消去が可能である。
そのサーマルヘッド６は、光ディスク１の半径方向に延びる図示していない軸によって矢示Ｃ方向に回動可能に支持され、且つスプリングによって下方に付勢されており、可視情報の書き込みあるいは消去の際には、光ディスク１のラベル２の表面に約９度の角度で発熱部６ａを加圧接触させる。
【００３１】
さらに、この実施例では、サーマルヘッド６の装着された光ディスク１のラベル２への当接に連動して光ディスク１の外周縁部に当接し、その光ディスク１をサーマルヘッド６の当接力に対して回転可能に支持する支持部材であるディスク支持爪１０を設けている。このディスク支持爪１０は台形ブロック状をなし、その斜面１０ａを光ディスク１の外周の下側縁部に当接させる図示の位置とそこから退避する位置とに、矢示Ｄ方向に変位可能に設けられている。光ディスク１をゴムローラ９によって低速回転させるときには、光ディスク１をスピンドル５とこのディスク支持爪１０とによって、確実に支持することができる。このディスク支持爪１０を、光ディスク１の外周に沿って複数個設けるとより安定して光ディスク１を支持することができる。
【００３２】
このディスク支持爪１０は、必須のものではなく省略することもできるが、図１に示した低速回転機構を構成するゴムローラ９に換えて、図３に示すように糸巻型あるいは鼓型のゴムローラ１９あるいは他の材料によるローラを用いれば、図１に示した光ディスク１を低速回転させるためのゴムローラ９と、光ディスク１を支持するデイスク支持爪１０の機能を兼用することが可能である。すなわち、このゴムローラ１９によって、光ディスク１を回転させるとともに、Ｖ字状の斜面でその厚さ方向の位置を保持することができる。
この実施例によれば、追記型あるいは書込型の光ディスク１の光記録面に、光ピックアップ３によって音楽、映像、文書、プログラムなど任意の情報を記録したとき、そのタイトルや内容など関連する可視情報を、サーマルヘッド６によってラベル２に書き込むことができる。
【００３３】
図５は、ラベル２にタイトルやアーティスト名２ａと、日付や残容量（残りの記録時間）２ｂを書き込んだ場合の例を示している。この可視情報は、光ディスク１の光記録面への情報の追記に応じて、ラベル２の余白部分に順次追記していくことも可能であるが、新たな情報を追記するときに、それまでに書き込んだタイトルやアーティスト名等の情報と新たに書き込む情報とを全て書き換えるようにようにしてもよい。
書換型光ディスクの記録情報を全て書き換えた場合には、当然ラベル２の可視情報も全て書き換えることになる。
【００３４】
そして、この実施例では光ディスク１のラベル面に貼付されたラベル２にサーマルヘッド６によって可視情報を書き込む際に、その光ディスク１をモータ７およびゴムローラ９等からなる低速回転機構によって、その書き込みに適した一定の遅い回転速度で回転させることができるので、ラベル２に可視情報を品質良く確実に書き込むことができる。
また、サーマルヘッド６が、その発熱部６ａが装着された光ディスク１の半径方向に沿って延び、ラベル２の書き込み有効半径の全長に亘って当接可能に配設されており、サーマルヘッド６の有効記録幅が３５ｍｍでラベル２の書き込み有効半径と同等であるから、上記低速回転機構によって光ディスク１を一周させるだけで、サーマルヘッド６によってラベル２の全面に所望の可視情報を書き込んだり、前に書き込まれた可視情報を消去して、もう一周させれば新たな可視情報を書きこむ（書き換える）ことができる。
【００３５】
ここで、光ディスク１のラベル面１ｂに貼着するラベル２の具体例について詳細に説明する。このラベル２として使用する感熱情報表示フィルム（感熱性記録媒体）、特に熱可逆性表示フィルム（熱可逆性記録媒体）の材料としては、常温では透明度又は色調を保持しながら、熱を加えることによってその透明度又は色調が可逆的に変化する材料が従来から種々開発されている。
【００３６】
例えば、ポリマーを２種以上混合してその相溶状態の違いで透明状態と白濁状態に変化するもの（特開昭６１−２５８８５３号公報）、液晶高分子の相変化を利用したもの（特開昭６２−６６９９０号公報）がある。さらに、塩化ビニル樹脂などの熱可逆性樹脂中に脂肪酸などの長鎖低分子を分散し、第１の特定温度で透明様態になり、第２の特定温度で白濁状態になるもの（特開昭５５−１５４１９８号公報）、ロイコ染料と長鎖アルキル顕色剤を用い、第２の特定温度に加熱後、黒、赤、青等に発色し、第１の特定温度で消色するもの（特開平２−１８８２９３号公報）等が挙げられる。
【００３７】
この実施例では、ラベル２に熱可逆性材料からなるいわゆるＴＣフィルム（Thermo-Chromic film）を用いるものとする。このＴＣフィルムの記録原理について図６によって説明する。この図６において、縦軸はＴＣフィルムの透明度を、横軸は加熱温度をそれぞれ表わす。
温度がＴ０（Ａ）、Ｔ１（Ｂ）、Ｔ２（Ｃ）、Ｔ３（Ｄ）になるようにＴＣフィルムを加熱していくと、透明度がＥ点まで大きくなる。その後、温度がＴ２（Ｃ）、Ｔ１（Ｂ）、Ｔ０（Ａ）を経てそれ以下の常温に戻っても、透明度がＥ点の状態を維持する。
一方、温度がＴ０（Ａ）、Ｔ１（Ｂ）、Ｔ２（Ｃ）、Ｔ３（Ｄ）からさらにＴ４（Ｆ）以上になるようにＴＣフィルムを加熱すると、透明度が大きい状態を経て半透明状態に透明度が低下し、その後温度を下げても透明度は上がらず、ポイントＧ以下の温度の常温になると白濁して透明度がさらに小さくなる。この場合、温度Ｔ３がＴＣフィルムを透明状態にして可視情報を消去するための第１の特定温度、温度Ｔ４がＴＣフィルムを選択的に白濁状態にして可視情報を記録する第２の特定温度に相当する。
【００３８】
このような現象が生じるのは、ＴＣフィルムを構成する樹脂母材中に分散した有機低分子物質の粒子と樹脂母材とが隙間なく密着し、且つ有機低分子物質の粒子内部にも空隙がない状態においては、片側から入射した光は散乱することなく反対側に透過するために透明に見え、一方、有機低分子物質の粒子の微細な結晶が集合して多結晶を構成すると、結晶の界面もしくは粒子と樹脂母材との界面に隙間が生じ、片側から入射した光が空隙と結晶、結晶と樹脂の界面で屈折・反射して散乱するため、白濁して白く見えるためである。
【００３９】
しかし、前述したラベル２としては、加熱温度によって透明状態と白濁状態との２態様に変化して、常温に戻ってもその状態が保持されるＴＣフィルムに限らず、加熱温度によって色調が２態様以上に変化して、その状態が常温でも保持される各種の熱可逆性表示フィルムも用いることができる。
また、追記型光ディスクに貼付するラベルの場合には、サーマルサへッドによって一度だけ可視情報を書き込める感熱記録紙のような感熱表示フィルムを使用することもできる。
【００４０】
〔実施例のブロック構成図の説明〕
次に、この発明による光ディスク装置の一実施例の制御系を含むブロック構成図を図７に示し、それを説明する。この図７において、図１乃至図４と対応する部分には同一の符号を付している。
この図７に示す光ディスク装置２０は、光ディスク１を回転駆動するためのスピンドルモータ４、光ディスク１に情報を記録するためレーザ光を照射する光ピックアップ３、光ピックアップ３をスレッジ方向に駆動するためのシークモータ１８を備えている。さらに、光ピックアップ３から照射されるレーザ光の制御を行うレーザ制御回路１３、パーソナルコンピュータ等の上位装置３０からインターフェイス１５を介して与えられるデータを光ディスク１への記録に適したデータにエンコードするエンコーダ１４も備えている。
【００４１】
また、スピンドルモータ４、シークモータ１８、および光ピックアップ３に搭載された対物レンズ駆動機構の制御を行うサーボ制御回路１６、光ピックアップ３で読み取ったデータを処理し、上位装置３０が解読可能なデータにデコードするとともにサーボ制御回路１６へ出力されるサーボ信号を生成する再生信号処理回路１７を有する。
さらに、光ディスク１から読み取ったデータや光ディスク１に光記録されるデータ、およびラベル２に可視情報を書き込むためのデータを一時的に格納するバッファＲＡＭ２２、バッファＲＡＭ２２へのデータの入出力を管理するバッファマネージャ２３、上位装置３０との双方向通信を行うインターフェイス１５、光ディスク装置２０全体の制御を行うＣＰＵ２１、ＣＰＵ２１が実行するためのプログラムを格納するフラッシュメモリ２４、ＣＰＵ２１が光ディスク装置２０の制御を行うためのデータを一時的に格納するＲＡＭ２５を設けている。
【００４２】
これらは、一般の光ディスク装置の構成と共通している。そして、この実施例特有の構成として、光ディスク１に貼付されたＴＣフィルムによるラベル２に熱を与え、可視情報を表示させるサーマルヘッド６、そのサーマルヘッド６の発熱や駆動等を制御するサーマルヘッド制御回路２６、サーマルヘッド６の使用時に光ディスク１を低速で回転させるための低速回転機構を構成するローラ装置２７、そのローラ装置２７の駆動を制御するローラ装置制御回路２８などを備えている。このローラ装置２７は、図１に示した実施例ではモータ７と摩擦ローラ８およびゴムローラ９からなる低速回転機構を構成している。
【００４３】
さらに、光デイスク１を低速回転させる際にその外周縁部に当接して回転可能に支持するディスク支持爪１０と、そのディスク支持爪１０をサーマルヘッド６のラベル２への離接、及びローラ装置２７のゴムローラの光ディスク１の外周面への離接と連動せさて離接させる連動機構１１と、その連動機構１１を駆動する１個のＤＣモータ１２と、モータ駆動回路２９も備えている。この連動機構の具体例については後述する詳細な実施例の説明で詳述する。
【００４４】
なお、図７における実線矢印は、代表的な信号や情報の流れを示すものであり、各ブロックの接続関係の全てを表すものではない。また、破線矢印は、連動機構１１による機構的な連動関係を示している。その連動機構１１とＤＣモータ１２との間の二重線は動力の伝達関係を示している。
【００４５】
光ピックアップ３は、スパイラル状のトラックが形成された光ディスク１の記録面にレーザ光を照射するとともに、その記録面からの反射光を受光するための装置である。この光ピックアップ３は、光源としての半導体レーザおよび対物レンズを含み、半導体レーザから出射された光束を光ディスク１の記録面に導くとともに、その記録面で反射された戻り光束を所定の受光位置まで導く光学系、その受光位置に配置されて戻り光束を受光する受光器と、駆動系（フォーカシングアクチュエータ及びトラッキングアクチュエータ）などを含んで構成されている。そして、受光器からは、その受光量に応じた信号が再生信号処理回路１７に出力される。
【００４６】
その再生信号処理回路１７は、Ｉ／Ｖアンプ、サーボ信号検出回路、ウォブル信号検出回路、ＲＦ信号検出回路、及びデコーダなどから構成されている。Ｉ／Ｖアンプは、光ピックアップ３の受光器から出力される電流信号を電圧信号に変換するとともに、所定のゲインで増幅する。サーボ信号検出回路は、Ｉ／Ｖアンプの出力信号に基づいてフォーカスエラー信号及びトラックエラー信号などのサーボ信号を検出する。ここで検出されたサーボ信号はサーボ制御回路１６に出力される。ウォブル信号検出回路は、Ｉ／Ｖアンプの出力信号に基づいてウォブル信号を検出する。
【００４７】
ＲＦ信号検出回路は、Ｉ／Ｖアンプの出力信号に基づいてＲＦ信号を検出する。デコーダはウォブル信号からアドレス情報及び同期信号などを抽出する。ここで抽出されたアドレス情報はＣＰＵ２１に出力され、同期信号はエンコーダ１４に出力される。デコーダはまた、ＲＦ信号に対して複号処理及び誤り検出処理などを行い、誤りが検出されたときには誤り訂正処理を行った後、再生データとしてバッファマネージャ２３を介してバッファＲＡＭ２２に格納する。
【００４８】
サーボ制御回路１６は、光ピックアップ制御回路、シークモータ制御回路、及びスピンドルモータ制御回路を有している。この光ピックアップ制御回路は、光ピックアップ３を構成する対物レンズのフォーカスずれを補正するために、上記フォーカスエラー信号に基づいてフォーカシングアクチュエータの駆動信号を生成する。また、対物レンズのトラックずれを補正するために、上記トラックエラー信号に基づいてトラッキングアクチュエータの駆動信号を生成する。ここで生成された各駆動信号は光ピックアップ３に出力される。これにより、トラッキング制御及びフォーカス制御が行われる。
【００４９】
シークモータ制御回路は、ＣＰＵ２１の指示に基づいてシークモータ１８を駆動するための駆動信号を生成する。ここで生成された駆動信号はシークモータ１８に出力される。スピンドルモータ制御回路は、ＣＰＵ２１の指示に基づいてスピンドルモータ４を駆動するための駆動信号を生成する。ここで生成された駆動信号はスピンドルモータ４に出力される。
【００５０】
バッファＲＡＭ２２には、光ディスク１に記録するデータ（記録用データ）、及び光ディスク１から再生したデータ（再生データ）、およびラベル２に書き込んで可視情報を表示するために上位装置３０から送信されるデータなどが一時的に格納される。このバッファＲＡＭ２２へのデータの入出力は、バッファマネージャ２３によって管理されている。
エンコーダ１４は、ＣＰＵ２１の指示に基づいてバッファＲＡＭ２２に蓄積されている記録用データをバッファマネージャ２３を介して取り出し、データの変調及びエラー訂正コードの付加などを行い、光ディスク１への書き込み信号を生成する。ここで生成された書き込み信号はレーザ制御回路１３に出力される。
【００５１】
レーザ制御回路１３は、光ピックアップ３を構成する半導体レーザから出射されるレーザ光のパワーを制御する。例えば記録の際には、書き込み信号、記録条件、及び半導体レーザの発光特性などに基づいて、半導体レーザの駆動信号がレーザ制御回路１３にて生成される。
インターフェイス１５は、上位装置３０との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェイスに準拠している。
【００５２】
フラッシュメモリ２４は、プログラム領域及びデータ領域を含んで構成されている。フラッシュメモリ２４のプログラム領域には、ＣＰＵ２１にて解読可能なコードで記述されたプログラムが格納されている。また、フラッシュメモリ２４のデータ領域には、記録条件、半導体レーザの発光特性、サーマルヘッドの発熱条件などが格納されている。
ＣＰＵ２１は、フラッシュメモリ２４のプログラム領域に格納されているプログラムに従って上記各部の動作を制御するとともに、制御に必要なデータなどをＲＡＭ２５及びバッファＲＡＭ２２に保存する。
【００５３】
ローラ装置制御回路２８は、ＣＰＵ２１からの指示に従ってローラ装置２７のゴムローラを回転させるためのステッピングモータの回転速度などを制御する。
サーマルヘッド６は、発熱によりラベル２のＴＣフィルムに情報を書き込むための多数の発熱体を列設した発熱部を有し、そのサーマルヘッドを光ディスク１上のラベル２に当接させたり、退避させたりするためのサーマルヘッド駆動機構などを備えている。
サーマルヘッド制御回路２６は、ＣＰＵ２１からの指示に従って、サーマルヘッド６を駆動し、上位装置３０から送信されバッファＲＡＭ２２に格納された情報表示用データに応じて、サーマルヘッド６の各発光体を発熱させる制御を行う。
【００５４】
〔具体的実施例の機構説明〕
次に、この発明による光ディスク装置の具体的実施例の機構について詳細に説明する。
まず、この発明を適用た光ディスク装置の機構部の従来と同様な部分の構成について、図８乃至図１０によって説明する。
図８はその光ディスク装置の機構部の構成を簡略化して示す斜視図、図９はその概略横断面図、図１０はそのアンローディング状態を示す平面図である。これらの図において、仮想線で示す可視情報書込ユニットホルダ５０に後述するこの発明に特有の機構を全て装着して可視情報書込ユニットを構成しているが、こではそれらの機構の図示は省略している。実線で示す部分は従来の光ディスク装置の機構部と同様である。
【００５５】
この光ディスク装置の機構部は、ローディングベース４０とトレー１００とからなる。
ローディングベース４０は、図８及び図１０に示すように、前面が開放された長方形のフレーム４２内の底部上の開放された前面近傍に、ローディングモータ７１，ベルト７２，プーリギア７３，中間ギア７４，およびギア７５からなるローディング機構７０を備えている。さらに、スピンドル５を取付けたスピンドルモータ４，光ピックアップ３などを設けたトラバースメカ４８を底部中央に備えている。さらに、そのローディングベース４０の底部の長手方向に沿う両側部に、長手方向に並行な複数の突条であるレール４５を設けてており、両内側壁の内面には、複数の爪状突起部であるトレー押さえ４６を長手方向に一列に設けている。
【００５６】
一方、トレー１００は、その中央部に前述した光ディスクを載置する円形の凹部１０１と、そこに載置された光ディスクに対してその半径方向に光ピックアップ３を移動走査させるための前円後方形の穴部１０２とを設けている。さらに、長手方向に沿う両側部にそれぞれ段部１０５を設けている。
また、長手方向の一端が開口した略箱形のローディングベース４０は、そのフレーム４２の開口部からトレー１００の一部を引出したり引込ませたりできるように、トレー１００をスライド可能に取り付けている。
【００５７】
さらに、トレー１００の下面には図９に示すように、その長手方向に沿う両側端部（段部１０５の裏側）にレール溝１０３をそれぞれ設けている。そのレール溝１０３は長手方向に平行な外側突条１３１と溝部１３２と内側突条１３３からなり、ローディングベース４０のレール４５と摺動可能に係合する。
また、一方のレール溝１０３の内側突条１３３には、図示していないが鋸歯状のラックがローディング機構７０のギア７５と噛み合うように、トレーの内方に向けて設けられている。
この光ディスク装置は、アンローディングおよびローディングを行なうときにローディングモータ７１が回転し、その回転をベルト７２，プーリギア７３，中間ギア７４，ギア７５を介してトレー１００のラックに伝達して、トレー１００を図８の矢示Ｅ方向に摺動させる。
【００５８】
ローディングのときは、トレー１００を図１０に示すアンローディング状態からローディングベース４０内に引き込んだ後、トラバースメカ４８を図示していないクランパ（ローディングベース４０の上側方に取付けられている）の位置まで上昇させ、トレー１００に載置された図１に示したような光ディスク１の中心開孔１ａにスピンドル５を嵌入させて、クランパとスピンドル５とによって光ディスクを回転可能に挟持する。
この状態が、光ディスクが装着部に装着された状態であり、スピンドルモータ４によって光ディスクを高速回転させ、光ピックアップ３を矢示Ａ方向に移動走査させながらレーザ光を射出させて、その光ディスクに情報を記録したり、記録されている情報を読み出したりすることができる。
【００５９】
一方、アンローディングのときは、トラバースメカ４８を図８に示した位置まで下降させた後、トレー１００を図１０に示すようにローディングベース４０の外へ排出し、凹部１０１に載置された光ディスクを取り出せるようにする。
なお、トレー押さえ４６は、トレー１００がローディングベース４０の底部から一定距離以上に浮き上がってしまうのを抑え、トレー１００がローディングベース４０から外れるのを防ぐ。
この発明に特有の可視情報書込ユニットの各機構を保持する板状のホルダ５０は、ローディングベース４０のフレーム４２の上部に固定され、可視情報書込ユニットの各部がトラバースメカ４８の上方のスペースに配置される。
【００６０】
次に、この実施例の光ディスク装置に設けられる可視情報書込ユニットの構成例を図１１乃至図１４によって説明する。
図１１はその可視情報書込ユニット全体の平面図、図１２はその低速回転機構とディスク支持爪との連動機構を光ディスクと共に示す分解斜視図、図１３はサーマルヘッド支持および連動機構を示す分解斜視図であり、図１４はそのサーマルヘッド支持部を光ディスクおよびスピンドルモータ等と共に示す要部拡大断面図である。これらの図において、図１乃至図１０と対応する部分には形状が異なっていても同一の符号を付している。また、図１４に示すサーマルヘッド支持部とスピンドルモータ及びスピンドルは、実際には同じ位置にはないが、便宜上一緒に示している。
【００６１】
まず、図１１と図１２によって低速回転機構及びディスク支持爪とそれらの連動機構について説明する。
可視情報書き込み又は消去時に光ディスク１を低速回転させるための低速回転機構（図７におけるローラ装置２７）は、ステッピングモータ等の低速回転用のモータ７と、その回転軸７ａに固着された小歯車（ピニオンギア）５１、それと噛み合い小歯車５３を同軸一体に設けた平歯車５２、その小歯車５３と噛み合う平歯車５４、それと噛み合う小歯車５５、およびそれと噛み合う平歯車５６からなる減速輪列と、その平歯車５６と同軸一体に設けたゴムローラ９とによって構成されている。このゴムローラ９も他の材料によるローラでもよい。
【００６２】
そして、モータ７が駆動されてその回転軸７ａが回転すると、上記減速輪列によって減速されてゴムローラ９が低速回転し、そのゴムローラ９が図１２に示すように、装着部に装着された光ディスク１の外周面に当接していると、その光ディスク１を１０ｍｍ／ｓｅｃ程度の外周線速で低速回転させる。
一方、この例では爪ブロック６０に、光ディスク１の半周方向に間隔を置いて２個のディスク支持爪１０が一体に設けられている。この爪ブロック６０は光ディスク１の半径方向に延びる案内軸６１によって、矢示Ｄ方向（光ディスク１の半径方向）に摺動可能に支持されている。その案内軸６１は、図示していない取付部材によって図１１に仮想線で示す可視情報書込ユニットホルダ５０に取り付け固定されている。
【００６３】
この爪ブロック６０の一端部には図１１に示すように案内軸６１と平行に延びる雌ねじ穴６０ａが形成されており、そこにロッド６２の先端部に形成された雄ねじ部６２ａがねじ込まれている。そのロッド６２は可視情報書込ユニットホルダ５０に取り付けられたブラケット６３によって回転可能に支持されており、雄ねじ部６２ａと反対側の端部に傘歯車６４を固着している。
【００６４】
その傘歯車６４に、ＤＣモータ１２の回転軸１２ａの先端部に固着した傘歯車６５を噛み合わせている。したがってＤＣモータ１２が駆動されてその回転軸１２ａが回転すると、傘歯車６５，６４を介してロッド６２が回転し、その雄ねじ部６２ａによる爪ブロック６０の雌ねじ穴６０ａへのねじ込み量が変化するため、そのねじ送り機能によって、爪ブロック６０が矢示Ｄ方向に移動する。したがって、ＤＣモータ１２を正転及び逆転させることによって、ディスク支持爪１０を光ディスク１の外周面に当接させる位置と退避させる位置に移動させることができる。
【００６５】
ＤＣモータ１２の回転軸１２ａにはウオームギア６６も固着されており、そのウオームギア６６にウオームホイール６７が噛み合っている。そのウオームホイール６７はロッド６２と平行に延びるロッド９１の一端に固着されている。したがって、ＤＣモータ１２の回転軸１２ａが回転すると、ウオームギア６６とウオームホイール６７を介してロッド９１も回転する。このロッド９１の機能については、図１３を参照して後述する。
図１１に示す６８はＤＣモータ１２を可視情報書込ユニットホルダ５０に取り付けるためのブラケットである。９７はロッド９１の他端部を可視情報書込ユニットホルダ５０に支持させるためのブラケットである。
【００６６】
爪ブロック６０の雌ねじ穴６０ａがある方と反対側の端部には、図１２に明示されるように上方に延びる連動片６９を設けている。
一方、上部に第１レバー８１と第２レバー８２が互いに一方のアームをピン８３を介して係合させて設けられている。その第１レバー８１の中間部は軸８４によって可視情報書込ユニットホルダ５０に回動可能に支持され、その一端部と可視情報書込ユニットホルダ５０との間に係着したコイルスプリング８５によって、この第１レバー８１は他方のアームが常時連動片６９に当接するように回動付勢されている。
【００６７】
第２レバー８２の中間部は、前述した減速輪列の小歯車５５と同軸で可視情報書込ユニットホルダ５０に回動可能に支持されており、ピン８３と反対側の端部に設けた軸８６がゴムローラ９を一体に設けた平歯車５６を回転可能に軸支し、それが小歯車５５の軸を中心に図１１の矢示Ｆ方向に回動可能に保持している。
したがって、爪ブロック６０がディスク支持爪１０を光ディスク１の外周縁から退避させている後退位置にあるときは、連動片６９が第１レバー８１をコイルスプリング８５の付勢力に抗して図１１，１２において左旋回動させており、それによって第２レバー８２は右旋回動して、軸８６によって平歯車とゴムローラ９を図１１に仮想線で示す位置に移動させる。したがって、ゴムローラ９も光ディスク１の外周面から退避している。
【００６８】
この状態から、ＤＣモータ１２によってロッド６２が回転され、爪ブロック６０が前進すると、２個のディスク支持爪１０も前進してそれぞれ光ディスク１の外周下縁に当接して、光ディスク１を回転可能に支持する。このとき、連動片６９も同動して第１レバーの右旋を許容する方向に移動するため、第１レバー８１がコイルスプリング８５の付勢力によって図１１，１２において右旋回動し、ピン８３を介して第２レバー８２を左旋回動させる。それにより、軸８６によって平歯車とゴムローラ９を図１１に実線と破線で示す位置に移動させる。したがって、ゴムローラ９も光ディスク１の外周面に当接し、モータ７の回動力によってゴムローラ９が回転すると、光ディスク１を低速回転させることができる。
このように、ディスク支持爪１０と低速回転機構のゴムローラ９とは連動して、光ディスク１に対して当接する位置と退避する位置とに移動する。
【００６９】
次に、主として図１３と図１４を参照して、サーマルヘッドの支持および連動機構について説明する。
図１３，１４に示す９０は孔明きブロック状のサーマルヘッドホルダであり、比較的大きな窓孔９０ａを有し、そこに、平板状のサーマルヘッド６の背面に固設したブラケット９２の両端立ち上り部９２ａを嵌入させ、軸９３を軸孔９０ｂに圧入してそれを軸支させ、サーマルヘッド６をそのライン状の発熱部６ａが延びる方向に対して図１３の矢示Ｇ方向に若干回動可能に支持している。
【００７０】
このサーマルヘッドホルダ９０後端の両側部に１対の軸受部９０ｃを突接しており、そこに支持軸９４を相対回動可能に貫通させ、その支持軸９４を図１１及び図１４に示すブラケット９５によって固定支持している。このブラケット９５は可視情報書込ユニットホルダ５０に図示していないねじ等によって固着されている。そして、このサーマルヘッドホルダ９０は、可視情報書込ユニットホルダ５０に形成した開孔部５０ａ内に一部が入り込むように配置され、サーマルヘッド６の発熱部６ａが延びる方向に平行な支持軸９４の回りに、図１３の矢示Ｃ方向に回動可能に支持されている。さらに、その支持軸９４に挿通させたコイルスプリング９６の両端を支持軸９４と軸受部９０ｃに係止させることによって、サーマルヘッドホルダ９０は常時図１４において左旋方向に回動付勢されている。したがって、このサーマルヘッドホルダ９０に支持されているサーマルヘッド９０も同様に回動付勢されることになる。
【００７１】
図１３にも、図１２に示したＤＣモータ１２によって２本のロッド６２，９１を回転させる機構部分を示している。そのロッド９１はサーマルヘッド６を図１４に実線で示す退避位置と、仮想線で示す動作位置とに移動させるための部材であり、図示しないブラケットによって可視情報書込ユニットホルダ５０に回動可能に支持されており、中間に偏心部９１ａが設けられている。この偏心部９１ａ上に、サーマルヘッドホルダ９０の前端縁に沿って延接した係合片部９０ｄを載置させている。
したがって、ロッド９１の偏心部９１ａが図１３に示すように上側に位置する回転状態では、サーマルヘッドホルダ９０はその係合片部９０ｄがコイルスプリング９６の付勢力に抗して押し上げられ、図１４に示す上昇位置となる。それによって、サーマルヘッド６も同図に実線で示す上昇位置となって、発熱部６ａが光ディスク１上のラベル２から離間した退避位置となる。
【００７２】
この状態からロッド９１が１／２回転して、その偏心部９１ａが下側に位置する回転状態になると、サーマルヘッドホルダ９０はコイルスプリング９６の付勢力によって係合片部９０ｄが下降する方向に回動し、図１４に仮想線で示すようにサーマルヘッド６の発熱部６ａが光ディスク１上のラベル２に当接するとその回動が止められ、係合片部９０ｄはロッド９１の偏心部９１ａから若干浮いた状態となる。この状態が、サーマルヘッド６の動作位置であり、発熱部全体を第１の特定温度に発熱させて、ラベル２に書き込まれている可視情報を消去したり、発熱部の各発熱素子を選択的に第２の特定温度に発熱させて、ラベル２に可視情報を書き込んだりすることができる。
【００７３】
このとき、サーマルヘッド６は図１３に矢示Ｃで示す方向に回動可能で且つ発熱部６ａがラベル２に押圧される方向に付勢され、矢示Ｇ方向にも回動可能に支持されているので、装着された光ディスク１に若干傾きや反りがあって、サーマルヘッド６に対する回転位置によってその状況が変化しても、発熱部６ａ全体を常にラベル２に押し付けることができる。
それによって、ラベル２の全周に亘って、可視情報を確実に消去したり書き込んだりすることができる。
【００７４】
上述したＤＣモータ１２とその回転力によって、ロッド６２，９１、および連動片６９によって連動して動作する機構が、低速回転機構のゴムローラ９の光ディスク１の外周面に対する当接・離間と、サーマルヘッド６の発熱部６ａの光ディスク１のラベルへの当接・離間と、ディスク支持爪１０の光ディスク１の外周縁部への当接・離間とを１個の駆動源（ＤＣモータ１２）の駆動力によって連動させる連動機構を構成している。
さらに、これにの各機構が全て図１１に仮想線で示す可視情報書込ユニットホルダ５０に取り付け保持されて、可視情報書込ユニットを構成している。
【００７５】
なお、支持部材としてのディスク支持爪１０を省略して、連動機構によって低速回転機構のゴムローラ９の光ディスク１の外周面に対する当接・離間と、サーマルヘッド６の発熱部６ａの光ディスク１のラベルへの当接・離間だけを連動させるようにしてもよい。
その場合には、可視情報書込ユニットもディスク支持爪と、連動ヶ機構におけるディスク支持爪との連動部を省略したものとなる。
【００７６】
〔種々の変更実施例〕
以下、この発明による光ディスク装置の部分的な種々の変更実施例を説明する。その他の構成は、基本的に上述した実施例の構成と同様であるから、その説明は省略する。
（１）低速回転機構の変更実施例
図１５は、低速回転機構の変更実施例を示す概略平面図である。この低速回転機構は、光ディスク装置に装着される光ディスク１の外周面に対して当接及び離間可能に無端状のベルト１１０を張装する一対のプーリ１１１，１１２と、そのベルト１１０を回動させるステッピングモータ等のモータ７と有している。そのモータ７は回転軸に固着した摩擦ローラ８をプーリ１１１上のベルト１１０に当接させて、ベルト１１０を直接回動させるように図示しているが、プーリ１１１を介してベルト１１０を回動させるようにしてもよいことは勿論であり、その場合モータ７とプーリ１１１との間には種々のローラや歯車、ベルト等の回転伝達機構を介在させてもよい。
【００７７】
一対のプーリ１１１，１１２とそれに張装されたベルト１１０は、矢示Ｊ方向（光ディスク１の径方向）に一体的に移動できるように取り付けられており、前述したような連動機構によって、図示していないサーマルヘッドを光ディスク１のラベル面に当接させるのに連動して、ベルト１１０を光ディスク１の外周面沿って当接させ、サーマルヘッドを光ディスク１のラベル面から退避させるのに連動して、ベルト１１０を光ディスク１の外周面から離間させる。なお、モータ７及びその回転伝達機構も一体的に矢示Ｊ方向に移動させるようにしてもよいが、モータ７とその回転伝達機構の殆どは移動しないようにすることもできる。
【００７８】
図１５に示すように、ベルト１１０が光ディスク１の外周面に当接している状態で、モータ７によってプーリ１１１を矢示ａ方向に回転させると、ベルト１１０が矢示ｂ方向に回動し、光ディスク１が矢示ｃ方向に低速回転する。この低速回転機構によれば、一層確実に光ディスク１を一定の速度で低速回転させることができる。
ベルト１１０は、摩擦力の大きいゴムベルトあるは内周面に凹凸の歯が形成されたタイミングベルトを用いると滑りがなくてよい。ゴム製のタイミングベルトを用いるのが最もよい。タイミングベルトを使用する場合には、プーリ１１１，１１２はタイミングベルトを張装する外周面に凹凸の歯が形成されたタイミングプーリを使用する。ゴムベルトを使用する場合は、プーリ１１１，１１２に代えて一対のローラを用いてもよい。
通常の光ディスクの外周部の厚さは１．６ｍｍしかないため、その光ディスクを外周面に摩擦ローラを転接するだけで回転させる場合には、すべりが発生することが懸念されるが、このように光ディスクの外周面に沿ってベルトを接触させて駆動することによって、すべりが発生する懸念は解消される。
【００７９】
（２）低速回転機構の一部がディスク支持部材を兼ねる第１の実施例
低速回転機構を、低速回転用のモータと該モータの回転駆動力を装着された光ディスクに伝達して光ディスクを低速回転させる伝達部とによって構成し、その伝達部が上記光ディスクをサーマルヘッドの当接力に対して回転可能に支持する支持材を兼ねるようにした実施例を、図１６によって説明する。
この図１６に示す低速回転機構１２０は、低速回転用のモータ７とその回転駆動力をスピンドル５に装着された光ディスク１に伝達して光ディスク１を低速回転させる伝達部１２１とによって構成し、その伝達部１２１の段付きローラ１１９が光ディスク１をサーマルヘッド６の当接力に対して回転可能に支持する支持部材を兼ねている。
【００８０】
すなわち、この低速回転機構１２０の伝達部１２１は、大径部１１９ａ上に小径部１１９ｂを一体に形成した段付きローラ１１９を有し、その段付きローラ１１９が低速回転用のモータ７の回転軸に装着された摩擦ローラ８に転接して回転駆動され、その小径部１１９ｂの外周面ｂ１が光ディスク１の外周面に当接して光ディスク１を低速回転させ、大径部１１９ａの上面ａ１が光ディスク１の上記サーマルヘッドに当接される面と反対側の面１ｃを回転可能支持する。
【００８１】
このとき、高速回転用のスピンドルモータ４は非駆動状態であり、光ディスク１の低速回転によって、その回転軸が従動回転するだけである。低速回転機構１２０のモータ７は回転軸に固着した摩擦ローラ８を段付きローラ１１９の大径部１１９ａの外周に当接させて、段付きローラ１１９を回転させるように図示しているが、伝達部１２１を構成する摩擦ローラ８と段付きローラ１１９との間には種々のローラや歯車、ベルト等の回転伝達機構を介在させてもよい。
【００８２】
この段付きローラ１１９は、全体をゴム等の摩擦係数の大きい材料で形成してもよいが、小径部１１９ｂの少なくとも外周面ｂ１をなす部分はゴム等の摩擦係数の大きい材料で形成し、大径部１１９ａは比較的摩擦係数の小さい金属やプラスチックなどで形成するとよい。
なお、この低速回転機構１２０の段付きローラ１１９も、単独であるいはモータ７と一体に、図１６に示すように小径部１１９ｂの外周面ｂ１及び大径部１１９ａの上面ａ１が光ディスク１に当接する位置と、光ディスク１から完全に離間する位置とに矢示Ｋ方向に移動し得るように取り付けられている。
【００８３】
（２）低速回転機構の一部がディスク支持部材を兼ねる第２の実施例
図１７及び図１８に示す実施例は、図１５に示した実施例と図１６に示した実施例を組みあわせた構成になっており、それらと対応する部分には同一の符号を付している。
すなわち、この実施例の低速回転機構１３０における伝達部１３５は、図１５に示した実施例におけるプーリ１１１に代えて段付きローラ１１９を用い、その小径部１１９ｂの外周面と光ディスク１の外周に沿って間隔を置いて設けられた別のプーリ（又はローラ）１１２との間にベルト１１０を張装している。
【００８４】
そして、段付きローラ１１９とベルト１１０が低速回転用のモータ７によって駆動され、そのベルト１１０が光ディスク１の外周面に当接して光ディスク１を低速回転させる。その際、段付きローラ１１９の大径部１１９ａの上面ａ１が光ディスク１のサーマルヘッド６に当接される面と反対側の面１ｃを回転可能に支持する。この大径部１１９ａの上面ａ１は、光ディスク１の光情報記録面である面１ｃに当接するが、外周付近の情報を記録しない領域の一部に当接するだけであるから、光情報記録部を傷つける恐れはない。
【００８５】
さらに、この実施例における別のプーリ１１２も図１８に仮想線で示すように段付きローラ１３６にして、その小径部と段付きローラ１１９の小径部１１９ｂとの間にベルト１１０を張装するようにし、段付きローラ１３６の大径部の上面によっても、光ディスク１のサーマルヘッド６に当接される面と反対側の面を支持するとなおよい。その場合、２個の段付きローラ１１９と１３６を、光ディスク１の径方向に沿うサーマルヘッド６の位置に対して光ディスク１の周方向に対称な位置設けるとよい。
【００８６】
これらの実施例の段付きローラ１１９の大径部１１９ａの上面ａ１が、図１９に示すように環状の凸曲面をなしていると、光ディスク１の面１ｃとの接触面積が少なくなり、摩擦抵抗が減るので好ましい。図１８に仮想線で示したように段付きローラ１３６も設ける場合には、その大径部の上面も同様に環状の凸曲面に形成するといよい。
また、ベルト１１０には、図１５によって説明した実施例の場合と同様に、ゴムベルトあるいはタイミングベルト（ゴムのタイミングベルトも含む）を使用すれば、滑りが殆どなくなる。
【００８７】
（３）ディスク支持部材を変更した実施例
次に、装着された光ディスクのサーマルヘッドに当接される面と反対側の面を支持するデイスク支持部材を変更した実施例を説明する。
図２０に示す実施例では、スピンドルに装着された光ディスク１を挟んで、サーマルヘッド６と反対側に、光ディスク支持部材としてボール状回転支持体であるボールベアリング１４０を配置している。この実施例に使用する低速回転機構は図示を省略しているが、その伝達部がディスク支持部材を兼ねる必要はない。そして、光ディスク１が低速回転され、そのラベル面１ｂにサーマルヘッド６が当接されて可視情報が書き込まれる際に、その下面１ｃがボールベアリング１４０のボール１４０ａの頂部によって回転可能に支持される。その際、光ディスク１の下面１ｃとボールベアリング１４０のボール１４０ａとは点接触するだけであり、しかもボール１４０ａは任意の方向に回転自在であるから、摩擦損失は極めて小さい。
【００８８】
このボール状回転支持体であるボールベアリング１４０を１個設ける場合には、図２０に示すように光ディスク１を挟んでサーマルヘッド６と対向する位置に設けるとよい。
また、ボール状回転支持体であるボールベアリング１４０を少なくとも一対以上、対で設ける場合には、図２１に示すように光ディスク１の周方向におけるサーマルヘッド６の位置を挟む両側に１８０度以下の角度間隔で設ければよいが、光ディスク１の周方向におけるサーマルヘッド６の位置を挟んで対称な位置に設けるのが望ましい。さらに、上記角度間隔を９０度以下にするとより安定して確実に支持することができる。
このボールベアリング１４０を、光ディスク１を挟んでサーマルヘッド６と対向する位置に1個と、光ディスク１の周方向におけるサーマルヘッド６の位置を挟んで対称な位置に一対以上の両方設ければなおよい。ボールベアリング以外のボール状回転支持体を設けてもよい。
【００８９】
（４）ディスク回転制御手段を設けた実施例
次に、図２２によってディスク回転制御手段を設けた実施例について説明する。図２２においても、前述した各実施例と対応する部分には同一の符号を付している。
図２２において、１５１はスピンドルモータ４を駆動するためのモータドライバ回路、１５２は位相比較器、１５３はチャージポンプ回路、１５４は低域通過型フィルタ、１５５は低速回転用のモータ７を駆動するためのモータドライバ回路である。
【００９０】
モータ７は、図１，図２あるいは図１１，図１２に示した実施例などと同様に光ディスク１の外周面に転接するゴムローラ９を回転させて光ディスク１を低速回転させる。しかし、光ディスク１とのゴムローラ９との間にすべりが発生すると、光ディスク１に可視情報を書き込みあるいは消去する際に、それを所定の速度で回転させることができなくなる恐れがある。それを電気的に解決しようとするのがこの実施例である。
高速回転用のスピンドルモータ４には、一般的にブラシレスモータが使用され、それを回転駆動するために複数（３相のコイルを駆動する場合は３個）のホール素子を設け、モータ駆動回路１５１がそのホール素子の出力により駆動する複数のコイルを適切に選択し、各コイルに適切に電流を流すことによって、ブラシがなくてもスピンドルモータ４を回転させることができる。
【００９１】
そこで、このホール素子とモータドライバ回路１５１を回転信号発生手段として利用し、そのホール素子のうちの１個の出力を用いて、光ディスク１のラベル面に可視情報を書き込むために光ディスク１をモータ７によって低速回転させる際のモータ７の回転を制御する。
光ディスク１を低速回転させる際には、モータドライバ回路１５１はコイルに駆動電流を流さず、スピンドルモータ４は非駆動状態になっている。しかし、光ディスク１がモータ７によって低速回転されることによって、スピンドル５を介してスピーンドルモータ４の回転軸が従動回転するため、ホール素子がその回転速度に応じた周波数のパルス信号を出力する。その信号をモータドライバ回路１５１から位相比較器１５２に入力させて、基準クロックと位相を比較し、その位相差を検出する。基準クロックは、光ディスク１が所定の回転速度になったときに、ホール素子によってモータドライバ回路１５１から出力されるパルス信号の周波数と同じクロック周波数とする。
【００９２】
位相比較器１５２によって検出される位相差信号をチャージポンプ回路１５３でその位相差に比例した電圧に変換し、その電圧信号を低域通過型フィルタ（ループフィルタとも称される）１５４を通し、高域成分を遮断して平滑化するとともに、制御系を安定化する。その低域通過型フィルタ１５４の出力をモータドライバ回路１５５に入力して、モータ７の回転速度を制御する。すなわち、モータドライバ回路１５１からのパルス信号の方が基準クロックより位相が進むと、その位相差に応じてモータ７の回転速度を低下させ、モータドライバ回路１５１からのパルス信号が基準クロックより位相が遅れると、その位相差に応じてモータ７の回転速度を高めるように制御する。
【００９３】
このようにして、光ディスク１を所定の回転速度で低速回転させることができる。もし光ディスク１とゴムローラ９との間ですべりが発生しても、光ディスク１とスピンドル５の間は接触面積が大きく、サーマルヘッドによる圧接力も加わっているので、光ディスクとスピンドルモータ４の回転軸とは一体的に回転し、ホール素子からに出力されるパルス信号は、光ディスク１の回転速度に正確に応じた周波数になるので、これを利用してモータ７の回転速度を制御することにより、光ディスク１の回転速度を正確に制御することができる。モータ７の回転を光ディスク１に伝達する伝達手段として、ゴムローラ９を用いた例について説明したが、前述したベルト１１０や段付きローラ１１９などを用いたものにも同様に適用できることは勿論である。
【００９４】
高速回転用のスピンドルモータの回転速度に応じた信号を発生する回転信号発生手段として、ホール素子を備えたモータドラバ回路を利用する例について説明したが、より精度の高い回転検出用のＦＧ信号を発生するＦＧ検出器を備えたモータドライバ回路を利用して、そのＦＧ信号を位相差比較器１５２に入力させるようにしてもよい。その他、スピンドルモータ４の回転速度に応じた信号を発生する手段であれば、同様に回転信号発生手段として利用することができる。それらの回転信号発生手段は、光ディスク１をスピンドルモータ４によって高速回転させる際の制御のために当然必要なものであるから、低速回転時の回転速度制御のために新たに設ける必要はなく、コストアップになることはない。
【００９５】
（５）サーマルヘッドを複数に分割した実施例
通常、光ディスクには半径方向に微妙な反りがあるため、図２３に示すように１個のサーマルヘッド６を光ディスク１の半径方向の略全長に亘って当接させようとすると、隙間Ｇが生じてしまう恐れがある。そこで、サーマルヘッド６をその長手方向に複数個に分割して、例えば図２４に示すように、２個のサーマルヘッド６Ａ，６Ｂを光ディスク１の半径方向に沿って並べて配置すれば、サーマルヘッド６Ａ，６Ｂが光ディスク１のラベル面の半径方向の反りに応じて若干傾き、隙間を微少にすることができる。それによって、可視情報の書き込みや消去を確実に行なえるようにすることができる。
その場合、図２５に示すように、２個のサーマルヘッド６Ａと６Ｂの隣接する接続部は、互いの発熱部が光ディスクの径方向に所定ドットＤだけオーバラップしているのが望ましい。それによって、可視情報の書き込み範囲にもれがなくなる。
【００９６】
その具体的な実施例を、図２６〜図２８によって説明する。図２６はその図２４と同様な２個のサーマルラーヘッドと光ディスクの半径方向の断面との関係を示す模式的な側面図である。図２７はそのサーマルヘッドユニットの分解斜視図、図２８はその２個のサーマルヘッドを光ディスクに当接させた状態を光ディスクの中心側から見た図である。
この実施例は、２個のサーマルヘッド６Ａと６Ｂを一部重複させて軸１６１によって相互に回動自在に連結している。
【００９７】
その各サーマルヘッド６Ａと６Ｂの長手方向の中央部上面に角柱状の支持部１６３を突設し、その上部を支持板１６０下面に設けた各ブラケット１６４に嵌入させて、それぞれピン１６５によって連結し、支持板１６０に各サーマルヘッド６Ａ，６Ｂを光ディスク１の半径方向に回動可能に取り付けている。そして、サーマルヘッド６Ａと６Ｂの連結部とそれぞれの反対側の端部付近と支持板１６０との間にコイルバネ１６６Ａ〜１６６Ｃを介装し、サーマルヘッド６Ａと６Ｂの発熱部を光ディスク１のラベル面に押し付けるように付勢している。図２７に示す１６９Ａ〜１６９Ｃは、コイルバネ１６６Ａ〜１６６Ｃのガイドピンである。
【００９８】
サーマルヘッド６Ａと６Ｂの連結部には上部にそれぞれ軸受突部１６７，１６８を設け、後方のサーマルヘッド６Ｂの軸受突部１６８方の高さを少し高くして、その各軸孔１６７ａ，１６８ａに軸１６１を貫通させてサーマルヘッド６Ａと６Ｂ連結したとき、後方のサーマルヘッド６Ｂの方が幾分低くなるように段差をつけている。それによって、支持板１６０がその後縁部を支点にして矢示Ｌ方向に回動されて、サーマルヘッド６Ａと６Ｂを光ディスク１のラベル面１ｃに対して若干傾けて当接させる際に、コイルバネ１６６Ａ〜１６６Ｃの付勢力によって図２８に示すように各サーマルヘッド６Ａ，６Ｂの発熱部６Ａａ，６Ｂａが確実に光ディスク１のラベル面１ｂに当接するようにしている。
【００９９】
サーマルヘッド６Ａと６Ｂの軸受突部１６７，１６８に形成された各軸孔１６７ａ，１６８ａは、サーマルヘッド６Ａと６Ｂの長手方向に若干長孔になっていて、サーマルヘッド６Ａ，６Ｂが回動したときの連結位置のずれを吸収できるようにしている。したがって、この実施例によれば、光ディスク１の半径方向に反りがあっても、図２６に示すように各サーマルヘッド６Ａ，６Ｂがコイルバネ１６６Ａ〜１６６Ｃの付勢力によってその反りになじむように若干傾いて、発熱部６Ａａ，６Ｂａと光ディスク１のラベル面１ｂとの隙間を最小にすることができる。
この場合、複数のサーマルヘッド６Ａ，６Ｂを支持板１６０に組み付けたサーマルヘッドユニットとして提供することができる。
【０１００】
なお、上述の実施例では２個のサーマルヘッドを連結した状態で、その支持板と共に幅方向に若干回動させて、各発熱部６Ａａ，６Ｂａを光ディスク１のラベル面１ｂに当接させる書込位置と離間させる退避位置とに変位させるため、サーマルヘッド６Ａとサーマルヘッド６Ｂとを幅方向に段差を付けて連結させるようにした。しかし、複数のサーマルヘッドを光ディスク１のラベル面１ｂに対して平行な状態で上下動させて、書込位置と退避位置とに変位させるようにすることもでき、その場合には各サーマルヘッドを段差なく連結すればよい。
また、図示の例ではサーマルヘッドを２個に分割して構成しているが、３個以上に分割して構成もよいことは勿論である。それによって、光ディスクの半径方向の反りに一層細かく対応して、隙間をより小さくすることができる。
【０１０１】
（６）低速回転機構の他の変更実施例
ここで、この発明による光ディスク装置における低速回転機構の他の変更実施例を図２９及び図３０によって説明する。図２９はその可視情報記録時の状態をを示す要部平面図、図３０は同じくそのデータ記録時の状態を示す要部平面図である。
この実施例では、図１又は図１１に示したゴムローラ９に相当する一対のゴムローラ２０５，２０６を、くの字状およびそれと線対称な逆くの字状にそれぞれ屈曲した一対のレバー２０１，２０２のそれぞれ一端部に回転可能に軸支している。その一対のレバー２０１，２０２の折曲部をそれぞれ軸２０３，２０４によって図示していない固定部材に回動可能に軸支し、その各他端部にそれぞれ形成した長孔２０１ａ，２０２ａに共通のピン２０７を挿入している。それによって、この一対のレバー２０１，２０２は相対回動可能に連結されている。
【０１０２】
光ディスク１にデータを記録するときには、図３０に示すように一対のゴムローラ２０５，２０６を光ディスク１の外周面から離間した退避位置にしておく。これは、図２９に示す状態から、ピン２０７を矢示Ｍ方向に移動させると、レバー２０１は軸２０３を支点として図で時計方向へ回動し、レバー２０２は軸２０４を支点として反時計方向へ回動して、図３０に示すように各ゴムローラ２０５，２０６を光ディスク１の外周面から離間させる。このとき光ディスク１はスピンドルモータによって高速回転される。
【０１０３】
光ディスク１に可視情報を記録する場合には、図３０に示す状態から、ピン２０７を矢示Ｎ方向に移動させると、レバー２０１は軸２０３を支点として図で反時計方向へ回動し、レバー２０２は軸２０４を支点として時計方向へ回動して、図２９に示すように各ゴムローラ２０５，２０６を光ディスク１の外周面に接触させる。その際、２つのゴムローラ２０５，２０６の中心を結ぶ直線が光ディスク１の中心Ｑを通るようにするのが望ましい。そして、この一対のゴムローラ２０５，２０６は、連動機構を介して共通のモータによって、あるいは同期回転する個別のモータによって、それぞれ同じ方向へ同じ速度で回転される。それによって、光ディスク１を所定の方向へ所定の速度で低速回転させることができる。
【０１０４】
この実施例によれば、一対のゴムローラ２０５，２０６によって光ディスク１を挟むようにして回転させるので、１個のゴムローラによって光ディスクを回転させる前述した実施例の場合よりも、より滑らかで安定した一定速度で低速回転させることが可能になる。
【産業上の利用可能性】
【０１０５】
この発明による光ディスク装置は１台の装置で、光ディスクの光記録面への任意の情報の記録と、そのラベル面に貼着されたラベルに記録情報のタイトルやアーティスト名、記録日時等のユーザが必要とする可視情報の書込みとを選択的に行うことができる。しかもその可視情報の書き込みを短時間で確実に行なうことができ、特に、追記型光ディスク、あるいは書換型光ディスクを使用する光ディスク装置の利便性を大幅に高めることができる。
【図面の簡単な説明】
【０１０６】
【図１】この発明による光ディスク装置の基本的実施例の要部のみを光ディスクと共に示す模式的な斜視図である。
【図２】同じくその光ディスク装置をさらにスピンドルモータ及び光ピックアップと共に示す模式的な側面図である。
【図３】この発明による光ディスク装置の低速回転機構に使用するゴムローラの異なる例を光ディスクの外周部と共に示す側面図ある。
【図４】この発明による光ディスク装置で使用する光ディスクの構成例を示す分解斜視図である。
【図５】可視情報を書き込んだ状態の一例を示すラベルの平面図である。
【０１０７】
【図６】ラベルに使用するＴＣフィルムの記録原理を説明するための温度変化と透明度との関係を示す線図である。
【図７】この発明による光ディスク装置の一実施例の制御系を含むブロック構成図である。
【図８】この発明を適用する光ディスク装置の機構部の構成を簡略化して示す斜視図である。
【図９】同じくその概略横断面図である。
【図１０】同じくそのアンローディング状態を示す平面図である。
【０１０８】
【図１１】図８乃至１０に示した光ディスク装置に設けられる可視情報書込ユニットの構成例を示す平面図である。
【図１２】同じくその低速回転機構とディスク支持爪との連動機構を光ディスクと共に示す分解斜視図である。
【図１３】同じくそのサーマルヘッド支持および連動機構を示す分解斜視図である。
【図１４】同じくそのサーマルヘッド支持部を光ディスクおよびスピンドルモータ等と共に示す要部拡大断面図である。
【図１５】ベルトを用いた低速回転機構の実施例を示す要部平面図である。
【０１０９】
【図１６】低速回転機構の一部がディスクス支持部材を兼ねる第１の実施例の要部側面図である。
【図１７】同じく低速回転機構の一部がディスクス支持部材を兼ねる第２の実施例の要部側面図である。
【図１８】同じくその平面図である。
【図１９】段付きローラの異なる例を示す断面図である。
【図２０】ディスク支持部材の異なる実施例を示す要部側面図である。
【図２１】同じくそのボールベアリングとサーマルヘッドとの配置関係を示す平面図である。
【図２２】低速回転時のディスク回転制御手段を設けた実施例のブロック構成図である。
【０１１０】
【図２３】サーマルヘッドが１個の場合の光ディスクの半径方向の反りによる問題を説明するための模式的な側面図である。
【図２４】サーマルヘッドを長手方向に２個に分割した場合の例を示す模式的な側面図である。
【図２５】同じくその場合の光ディスクの上方から見た模式的な平面図である。
【図２６】サーマルヘッドを長手方向に２個に分割した場合の他の例を示す模式的な側面図である。
【図２７】同じくそのサーマルヘッドユニットの分解斜視図である。
【図２８】同じくそのサーマルヘッドを光ディスクに当接させた状態を光ディスクの中心側から見た図である。
【図２９】この発明による光ディスク装置における低速回転機構の他の変更実施例の可視情報記録時の状態をを示す要部平面図である。
【図３０】同じくそのデータ記録時の状態を示す要部平面図である。
【符号の説明】
【０１１１】
１：光ディスク    １ａ：中心開孔    １ｂ：ラベル面    ２：ラベル（感熱情報表示フィルム、熱可逆性情報表示フィルム）    ３：光ピックアップ    ４：スピンドルモータ
５：スピンドル    ６，６Ａ，６Ｂ：サーマルヘッド    ６ａ，６Ａａ，６Ｂａ：発熱部
７：モータ    ８：摩擦ローラ    ９：ゴムローラ    １０：ディスク支持爪（支持部材）    １１：連動機構    １２：ＤＣモータ    １３：レーザ制御回路    １４：エンコーダ    １５：インターフェイス    １６：サーボ制御回路    １７：再生信号処理回路
１８：シークモータ    １９：ゴムローラ（支持部材兼用）
【０１１２】
２０：光ディスク装置    ２１：ＣＰＵ    ２２：バッファＲＡＭ    ２３：バッファマネージャ    ２４：フラッシュメモリ    ２５：ＲＡＭ    ２６：サーマルヘッド制御回路    ２７：ローラ装置（低速回転機構）    ２８：ローラ装置制御回路    ２９：モータ駆動回路    ３０：上位装置（マイクロコンピュータ等）
４０：ローディングベース    ４２：フレーム    ４５：レール    ４６：トレー押さえ    ４８：トラバースメカ    ７０：ローディング機構    
１００：トレー    １０１：光ディスクを載置する円形の凹部    １０２：穴部    
１０３：レール溝    １０５：段部    
【０１１３】
５０：可視情報書込ユニットホルダ    ５１〜５６：減速輪列    ６０：爪ブロック
６０ａ：雌ねじ穴    ６１：案内軸    ６２：ロッド    ６２ａ：雄ねじ部    ６３：ブラケット    ６４，６５：傘歯車    ６６：ウオームギア    ６７：ウオームホイール
６８：ブラケット    ６９：連動片    ８１：第１レバー    ８２：第２レバー    
８３：ピン    ８４：軸    ８５：コイルスプリング    ８６：軸    ９０：サーマルヘッドホルダ    ９１：ロッド    ９１ａ：偏心部    ９２：ブラケット    ９３，９４：軸    ９５：ブラケット    ９６：コイルスプリング    ９７：ブラケット
【０１１４】
１１０：ベルト    １１１，１１２：プーリ    １１９，１３６：段付きローラ    
１１９ａ：大径部    １１９ｂ：小径部    １２０，１３０：低速回転機構    １２１，１３５：伝達部    １４０：ボールベアリング（ボール状回転支持体）    １４０ａ：ボール    １５１：スピンドルモータのモータドライバ回路    １５２：位相比較器    
１５３：チャージポンプ回路    １５４：低域通過型フィルタ    １５５：低速回転用モータのモータドライバ回路    １６０：支持板    １６１：軸    １６３：支持部    
１６４：ブラケット    １６５：ピン    １６６Ａ〜１６６Ｃ：コイルバネ    
１６７，１６８：軸受突部    １６９Ａ〜１６９Ｃ：ガイドピン
２０１，２０２：レバー    ２０３，２０４：軸    ２０５，２０６：ゴムローラ
２０７：ピン
【図１】
2006114194.tif 000003
【図２】
2006114194.tif 000004
【図３】
2006114194.tif 000005
【図４】
2006114194.tif 000006
【図５】
2006114194.tif 000007
【図６】
2006114194.tif 000008
【図７】
2006114194.tif 000009
【図８】
2006114194.tif 000010
【図９】
2006114194.tif 000011
【図１０】
2006114194.tif 000012
【図１１】
2006114194.tif 000013
【図１２】
2006114194.tif 000014
【図１３】
2006114194.tif 000015
【図１４】
2006114194.tif 000016
【図１５】
2006114194.tif 000017
【図１６】
2006114194.tif 000018
【図１７】
2006114194.tif 000019
【図１８】
2006114194.tif 000020
【図１９】
2006114194.tif 000021
【図２０】
2006114194.tif 000022
【図２１】
2006114194.tif 000023
【図２２】
2006114194.tif 000024
【図２３】
2006114194.tif 000025
【図２４】
2006114194.tif 000026
【図２５】
2006114194.tif 000027
【図２６】
2006114194.tif 000028
【図２７】
2006114194.tif 000029
【図２８】
2006114194.tif 000030
【図２９】
2006114194.tif 000031
【図３０】
2006114194.tif 000032